(57)【要約】【課題】しみ汚れを簡単に除去できる部分洗い装置を備えた洗濯機を提供すること。【解決手段】洗濯機に、水を噴射する吐出口９を設けた吐出体１０と、前記吐出体１０に水を導く水路８と、前記吐出体１０に導く水を加熱する加熱手段１１と、洗浄剤を貯える洗浄剤容器１４と、前記洗浄剤容器１４に貯えた洗浄剤を噴射する吐出口１７を設けた第２の吐出体１６と、前記第２の吐出体１６に洗浄剤を導く供給路１５とを有したものである。【選択図】  図３
2004222890.tif 000002
【特許請求の範囲】
【請求項１】
筐体と、前記筐体内に配設した洗濯槽と、前記洗濯槽に水を供給する給水路と、水を噴射する吐出口を設けた吐出体と、前記吐出体に水を導く水路と、前記吐出体に導く水を加熱する加熱手段と、洗浄剤を貯える洗浄剤容器と、前記洗浄剤容器に貯えた洗浄剤を噴射する吐出口を設けた第２の吐出体と、前記第２の吐出体に洗浄剤を導く供給路とを備えた洗濯機。
【請求項２】
筐体と、前記筐体内に配設した洗濯槽と、前記洗濯槽に水を供給する給水路と、洗浄剤を貯える洗浄剤容器と、前記洗浄剤と水を混合する混合部と、前記混合部で生成された洗浄剤混合水を噴射する吐出口を有した吐出体と、前記混合部から前記吐出体に洗浄剤混合水を導く供給路と、前記吐出体に導く洗浄剤混合水を加熱する加熱手段とを備え、前記混合部から吐出体へ供給する洗浄剤混合水の洗浄剤濃度を調整可能に構成した洗濯機。
【請求項３】
水を貯える貯水部を設け、前記貯水部の水を吐出体に供給するようにした請求項１または２記載の洗濯機。
【請求項４】
筐体に吐出体および第２の吐出体を収納する収納部を設けた請求項１〜３のいずれか１項に記載の洗濯機。
【請求項５】
水路および供給路を可撓性を有するチューブで構成した請求項１〜４のいずれか１項に記載の洗濯機。
【請求項６】
吐出体および第２の吐出体は、収納部から任意の長さに引き出し可能に構成した請求項５記載の洗濯機。
【請求項７】
吐出体は、噴射時の水の圧力を可変できる構成とした請求項１〜６のいずれか１項に記載の洗濯機。
【請求項８】
吐出体は、噴射時の水量を可変できる構成とした請求項１〜６のいずれか１項に記載の洗濯機。
【請求項９】
吐出体は、噴射時の水温を可変できる構成とした請求項１〜６のいずれか１項に記載の洗濯機。
【請求項１０】
吐出体は、水の噴射時間を可変できる構成とした請求項１〜６のいずれか１項に記載の洗濯機。
【発明の詳細な説明】
【０００１】
【発明の属する技術分野】
本発明は、衣類などの被洗浄物の部分的な汚れを落とす部分洗い装置を設けた洗濯機に関するものである。
【０００２】
【従来の技術】
一般に、衣類に付着したしみ汚れは、通常の洗濯だけでは落ちにくい。また、しみ汚れは成分に応じた洗剤や洗浄方法を選択しなければ、逆に洗浄時に衣類にしみを広げてしまう場合もある。しみ汚れを除去する部分洗い装置として、洗濯機に設けたブラシで衣類をこするようにしたものが考えられている（例えば、特許文献１参照）。また、専用洗剤を溶かした水に衣類を漬ける、いわゆる、漬け置きと呼ばれる方法で、しみを衣類から移動させる方法などがある。また、近年では、超音波振動子を利用したしみ汚れ除去装置を利用した洗濯機も開発されている（例えば、特許文献２参照）。
【０００３】
【特許文献１】
特開昭５９−２０９３８８号公報
【特許文献２】
特開２００１−１７８９８４号公報
【０００４】
【発明が解決しようとする課題】
しかしながら、ブラシなどを使用する方法は、衣類の繊維を傷めるという課題がある。また、しみの漬け置き除去には洗剤水への長い浸漬時間が必要である。また、洗濯機で通常どおり洗濯する場合でも、しみ汚れ専用洗剤などをあらかじめ衣類の汚れた部分にしみ込ませるなどの手間が必要で、被洗浄物が多すぎる場合は洗浄が不十分になり、しみ汚れが残ったり、他の衣類にしみが移染する場合がある。
【０００５】
一方、超音波振動子を利用した洗濯機は、布をあらかじめ水に浸漬する手間が必要で、水と同時に部分洗い用の洗剤を含んだ洗浄剤を利用することも考えられているが、この洗浄剤は洗剤を水で適当に希釈するものであるため、洗浄が不十分となる場合がある。
【０００６】
本発明は上記課題を解決するもので、しみ汚れの洗浄が容易に行える部分洗い装置を備えた洗濯機を提供することを目的とする。
【０００７】
【課題を解決するための手段】
本発明は従来の課題を解決するために、水を噴射する吐出口を設けた吐出体と、前記吐出体に水を導く水路と、前記吐出体に導く水を加熱する加熱手段と、洗浄剤を貯える洗浄剤容器と、前記洗浄剤容器に貯えた洗浄剤を噴射する吐出口を設けた第２の吐出体と、前記第２の吐出体に洗浄剤を導く供給路とを備えたものである。これにより、衣類などの被洗浄物のしみ汚れ等の部分洗浄性能を高めることができる。
【０００８】
【発明の実施の形態】
請求項１に記載の発明は、筐体と、前記筐体内に配設した洗濯槽と、前記洗濯槽に水を供給する給水路と、水を噴射する吐出口を設けた吐出体と、前記吐出体に水を導く水路と、前記吐出体に導く水を加熱する加熱手段と、洗浄剤を貯える洗浄剤容器と、前記洗浄剤容器に貯えた洗浄剤を噴射する吐出口を設けた第２の吐出体と、前記第２の吐出体に洗浄剤を導く供給路とを備えたものであり、衣類のしみ汚れ等の部分的に汚れた個所に対して、第２の吐出体による洗浄液と、吐出体による温水で汚れの度合いに応じた洗浄を容易に行うことができる。
【０００９】
請求項２に記載の発明は、筐体と、前記筐体内に配設した洗濯槽と、前記洗濯槽に水を供給する給水路と、洗浄剤を貯える洗浄剤容器と、前記洗浄剤と水を混合する混合部と、前記混合部で生成された洗浄剤混合水を噴射する吐出口を有した吐出体と、前記混合部から前記吐出体に洗浄剤混合水を導く供給路と、前記吐出体に導く洗浄剤混合水を加熱する加熱手段とを備え、前記混合部から吐出体へ供給する洗浄剤混合水の洗浄剤濃度を調整可能に構成したものであり、衣類のしみ汚れ等の部分的に汚れた個所に対して、汚れの度合いに応じた洗浄剤の濃度を選択することができ、最適な洗浄剤の濃度で洗浄することができる。
【００１０】
請求項３に記載の発明は、上記請求項１または２に記載の発明において、水を貯える貯水部を設け、前記貯水部の水を吐出体に供給するようにしたものであり、前記貯水部の水を利用して洗濯中にも部分洗いを行うことができる。
【００１１】
請求項４に記載の発明は、上記請求項１〜３に記載の発明において、筐体に吐出体および第２の吐出体を収納する収納部を設けたものであり、不使用時はこれら部分洗い装置が邪魔になることがなく、コンパクトに格納することができる。
【００１２】
請求項５に記載の発明は、上記請求項１〜４に記載の発明において、水路および供給路を可撓性を有するチューブで構成したものであり、部分洗い個所や任意の方向または姿勢に対して柔軟に変形し、使い勝手をよくすることができる。
【００１３】
請求項６に記載の発明は、上記請求項５に記載の発明において、吐出体および第２の吐出体は、収納部から任意の長さに引き出し可能に構成したものであり、部分洗い個所や任意の方向または姿勢に応じて、任意の長さに引き出すことができ、使い勝手をよくすることができる。
【００１４】
請求項７に記載の発明は、上記請求項１〜６に記載の発明において、吐出体は、噴射時の水の圧力を可変できる構成としたものであり、しみ汚れの付着の程度や布地の種類に応じて噴射時の水圧を可変することができる。
【００１５】
請求項８に記載の発明は、上記請求項１〜６に記載の発明において、吐出体は、噴射時の水量を可変できる構成としたものであり、しみ汚れの大きさに応じた洗浄を行うことができる。
【００１６】
請求項９に記載の発明は、上記請求項１〜６に記載の発明において、吐出体は、噴射時の水温を可変できる構成としたものであり、しみ汚れの種類に応じて噴射時の水温を選択し、洗浄性を高めることができる。
【００１７】
請求項１０に記載の発明は、上記請求項１〜６に記載の発明において、吐出体は、水の噴射時間を可変できる構成としたものであり、しみ汚れの付着の程度に応じて噴射時間を変化させて洗浄性を高めることができる。
【００１８】
【実施例】
以下、本発明の実施例について図面を用いて説明する。
【００１９】
（実施例１）
図１〜図５において、１は洗濯機の筐体、２は筐体１の上面開口部を覆う開閉自在な二つ折れの蓋、３は筐体１内に回転自在に設けた洗濯槽、４は洗濯槽３に洗浄水を給水する給水路で、その一端は例えば水道の蛇口（図示せず）に接続されている。５は前記給水路４に設けた給水バルブ、６は切り替え弁７および給水バルブ５を介して給水路４に繋がった貯水容器である。８は給水路４と貯水容器６に繋がった水路で、一端を水を噴射する吐出口９を設けた吐出体１０に接続しており、切り替え弁７の切り替えにより給水路４からの水と、貯水容器６からの水が選択的に供給される。
【００２０】
１１は吐出体１０に導く水を加熱するヒータ等で構成した加熱手段で、水路８を通過する水を加熱する。１２は加熱手段１１により加熱された水の温度をより高温まで加熱するため加熱室で、沸点を１００℃以上に上げることができるようにするため、高圧下で使用することができる構造（図示せず）を有している。１３は加熱手段１１、加熱室１２で加熱された温水を吐出体１０へ導くための水路で、耐熱性を有した可撓性のチューブで構成している。
【００２１】
１４は洗浄剤を貯える洗浄剤容器で、洗浄剤を注入する注入口（図示せず）を有するとともに、可撓性のチューブからなる供給路１５を介して第２の吐出体１６と接続し、第２の吐出体１６の先端部には洗浄剤を吐出する吐出口１７を設けている。洗浄剤容器１４の出口には開閉弁１８が設けられている。１９は部分洗い装置で、貯水容器６、切り替え弁７、水路８、吐出体１０、加熱手段１１、加熱室１２、水路１３、洗浄剤容器１４、供給路１５、および第２の吐出体１６等によって構成されており、洗浄剤容器１４および貯水容器６は、筐体１の奥上部に配設されている。
【００２２】
水路１３に接続された吐出体１０は、先端部に吐出口９を有するとともに、細長いペン状に形成した把手２０に、スイッチ２１、開口調節部２２が設けられており、把手２０を把持して使用する。開口調節部２２は把手２０に回動自在に設けてあり、スイッチ２１の操作により水の噴射と停止を行うことができるとともに、開口調節部２２を回転させることにより、吐出口９の開口面積を任意に可変することができる。また、水を噴射する圧力調整手段（図示せず）を内蔵している。
【００２３】
供給路１５に接続された第２の吐出体１６は、先端部に吐出口１７を有するとともに、細長いペン状に形成した把手２３に、スイッチ２４が設けられており、このスイッチ２４の操作により洗浄剤の吐出と停止を行うことができるとともに、把手２３を把持して使用する。
【００２４】
２５は筐体１上面の手前側に設けた操作部で、制御手段（図示せず）を介して制御が行われる、吐出体１０および第２の吐出体１６をはじめ、給水バルブ５、切り替え弁７、加熱手段１１、加熱室１２、開閉弁１８、および洗濯機の運転動作等の設定操作を行う。
【００２５】
２６は吐出体１０および第２の吐出体１６を並べて格納する凹状の収納部で、筐体１上面の側方に配設し、開閉自在な蓋２７で覆ってあり、蓋２を開くことによって開閉することができるとともに、吐出体１０および第２の吐出体１６を収納部２６から任意の長さに引き出して使用できるようにしている。そして、使用時に水と洗浄剤の識別が容易なように、吐出体１０および第２の吐出体１６の先端部分の形状を異ならせて設けてあり、各々を収容する収納部２６の凹部２６ａ、２６ｂもその形状に対応させたものとしている。
【００２６】
以上のように構成した部分洗い装置を備えた洗濯機について、以下その動作を説明する。しみ汚れが付着した衣類などの被洗浄物を洗浄する際には、洗濯機による通常の洗濯前に、部分洗い装置１９によりしみ汚れの除去を行う。まず、蓋２および蓋２７を開いて吐出体１０と第２の吐出体１６を収納部２６から取り出し、作業が行い易い任意の長さに引き出す。
【００２７】
そして、第２の吐出体１６を把持し、吐出口１７を被洗浄物の汚れが付着している部分に当ててスイッチ２４を操作すると、洗浄剤容器１４から開閉弁１８、供給路１５を通して第２の吐出体１６へ洗浄剤が送られ、吐出口１７から洗浄剤が被洗浄物へ噴射される。
【００２８】
次に、吐出体１０を把持し、吐出口９を洗浄剤が付着した部分に当ててスイッチ２１を操作すると、給水バルブ５が水道からの水を洗濯槽３側から部分洗い装置１９側へ供給するように切り替えられ、水道からの水あるいは貯水容器６内の水は、切り替え弁７、水路８、加熱手段１１、加熱室１２、水路１３を経由して吐出体１０へ水が導かれ、吐出口９から調圧した水が噴射される。水路８中の水は、加熱手段１１を通過する際に加熱されて温水となる。
【００２９】
吐出体１０から噴射される水の温度、水圧、水量、噴射時間、および第２の吐出体１６から噴射される洗浄剤の量などを任意に設定する場合は、スイッチ２１、２４、あるいは操作部２５によって温水利用条件を選択し、給水バルブ５、切り替え弁７、加熱手段１１、加熱室１２の制御を行う。
【００３０】
しみ汚れ除去後の被洗浄物は、全体を洗浄するために洗濯槽３に入れ、通常の洗濯コースにより洗浄する。このとき、給水バルブ５は水道からの水を洗濯槽３側へ供給されるように切り替わる。そして、洗濯中に部分洗いを行うときは、貯水容器６内の水を使用して行うことができる。なお、洗浄剤と水の噴射順序は、被洗浄物の材質としみ汚れの組み合わせに応じて変更する。
【００３１】
また、温度を変化させた温水を利用する場合には、操作部２５から温水利用の条件を選択し、加熱手段１１の制御を行う。また、しみの付着部分が複数の場合は、吐出口９と吐出口１７を汚れた部分に移動させながら汚れを除去する。しみを除去した後の水は筐体１に設けられた排水部（図示せず）から排出される。
【００３２】
なお、本実施例では洗浄剤容器１４と貯水容器６を筐体１の奥上部に配設し、部分洗い装置１９の吐出体１０と第２の吐出体１６を、筐体１の上面に設けたが、その場所を限定するものではない。また、部分洗い装置１９から噴射された水は排出部から排出されるとしたが、排水用の貯水容器を付設してもよい。
【００３３】
（実施例２）
次に、本発明の実施例２について図６を用いて説明する。なお、上記実施例とと同一部材または同一機能のものは同一番号で示し、説明は省略する。本実施例が上記実施例１と相違する点は、洗浄剤と水を混合させるための混合部２８を設け、この混合部２８から吐出体２９へ供給する洗浄剤混合水の濃度を調整可能に構成したものである。
【００３４】
以下、その動作を説明する。操作部２５あるいは吐出体２９に設けたスイッチ３０により、噴射する洗浄剤混合水の濃度を任意に設定すると、洗浄剤と水をそれぞれ洗浄剤容器１４、貯水容器６から混合部２８へ送り、規定の濃度の洗浄剤混合水を生成する。生成した洗浄剤混合水を加熱室１２にて加熱し、吐出体２９の吐出口（図示せず）から噴射する。洗浄剤混合水を加圧して加熱すると、洗浄剤を混合していない場合に比べ、吐出口の開口面積が一定でも吐出水量は多くなり、しみ汚れの除去に要する時間を短縮させることができる。なお、スイッチ３０は、洗浄剤混合水の噴射と停止操作が行えるようにしてもよい。
【００３５】
ここで、しみ汚れの状態としみ汚れの除去条件について簡単に説明する。厚手の衣類や除去しにくいしみ汚れ（野菜の汁、泥汚れなど）を除去する場合には、噴射時の水圧あるいは洗浄剤の濃度を高めに設定する。また、広い範囲のしみ汚れを除去する場合には噴射水量を多くし、しみ汚れの程度に応じて噴射時間を可変する。
【００３６】
噴射時間を３０秒一定にして、洗浄剤を混合した水と混合していない水をそれぞれ加熱してしみ汚れに噴射した後に、洗濯機による通常洗濯した場合におけるしみ汚れ除去の実験の結果を（表１）に示す。目視で布に残ったしみが確認できた場合は×、洗浄前よりもしみ汚れが薄くなった場合は△、目視で布に残ったしみは確認できなかった場合を○とした。
【００３７】
【表１】
2004222890.tif 000003
【００３８】
なお、しみ汚れの程度に応じて噴射時間は可変させるものとする。このように、洗浄剤混合水を加熱して噴射することで、しみ汚れを効果的に除去することができた。
【００３９】
【発明の効果】
以上のように、本発明の請求項１に記載の発明によれば、筐体と、前記筐体内に配設した洗濯槽と、前記洗濯槽に水を供給する給水路と、水を噴射する吐出口を設けた吐出体と、前記吐出体に水を導く水路と、前記吐出体に導く水を加熱する加熱手段と、洗浄剤を貯える洗浄剤容器と、前記洗浄剤容器に貯えた洗浄剤を噴射する吐出口を設けた第２の吐出体と、前記第２の吐出体に洗浄剤を導く供給路とを備えたから、衣類などの被洗浄物のしみ汚れ等の部分洗浄を容易に行うことができるとともに、その洗浄効果を高めることができる。
【００４０】
また、請求項２に記載の発明によれば、筐体と、前記筐体内に配設した洗濯槽と、前記洗濯槽に水を供給する給水路と、洗浄剤を貯える洗浄剤容器と、前記洗浄剤と水を混合する混合部と、前記混合部で生成された洗浄剤混合水を噴射する吐出口を有した吐出体と、前記混合部から前記吐出体に洗浄剤混合水を導く供給路と、前記吐出体に導く洗浄剤混合水を加熱する加熱手段とを備え、前記混合部から吐出体へ供給する洗浄剤混合水の洗浄剤濃度を調整可能に構成したから、しみ汚れや布地に応じて部分洗い装置から噴射する洗浄剤濃度を選択することができ、しみ汚れ等の部分洗浄性能を高めることができるとともに、衣類の傷みを少なくすることができる。
【図面の簡単な説明】
【図１】本発明の実施例１の洗濯機の一部切欠斜視図
【図２】同洗濯機の断面図
【図３】同洗濯機の部分洗い装置の構成図
【図４】同洗濯機の収納部の斜視図
【図５】同洗濯機の部分洗い装置の吐出体の側面図
【図６】本発明の実施例２の洗濯機の部分洗い装置の構成図
【符号の説明】
１  筐体
３  洗濯槽
４  給水路
６  貯水容器
８  水路
９  吐出口
１０  吐出体
１１  加熱手段
１３  水路
１４  洗浄剤容器
１５  供給路
１６  第２の吐出体
１７  吐出口
１９  部分洗い装置
２８  混合部
【図１】
2004222890.tif 000004
【図２】
2004222890.tif 000005
【図３】
2004222890.tif 000006
【図４】
2004222890.tif 000007
【図５】
2004222890.tif 000008
【図６】
2004222890.tif 000009